(57)【要約】【課題】測定の際に被測定者の情報である体重、身長、性別等を測定時に入力する必要があり使い勝手に課題があった。【解決手段】人体載置部２と把持部４をケーブル７で接続し、ケーブル７の引き出し量を計測し、測定開始スイッチ５に性別の情報をもたせることで、入力の煩雑さが軽減する。【選択図】  図１
2004255015.tif 000002
【特許請求の範囲】
【請求項１】
被測定者の足に接触する足部電極と、前記足部電極を備え測定時に被測定者が乗り体重計を兼ねる人体載置部と、被測定者の手に接触する手部電極と、前記手部電極を備え測定時に被測定者が手で把持する把持部と、前記足部電極と前記手部電極の間のインピーダンスを測定するインピーダンス測定手段と、男／女毎に設けられた測定開始スイッチと、前記把持部と前記人体載置部を電気的に接続するケーブルと、前記ケーブルを巻き取るための巻き取り手段と、前記ケーブルの引き出し長さを測定するケーブル長さ測定手段と、被測定者情報から被測定者の生体に関する情報を演算する演算手段と、前記演算手段の演算結果を報知する報知手段を有し、前記演算手段は、前記足部電極と前記手部電極間のインピーダンスと、前記体重計から得られる体重値と、前記ケーブル長さ測定手段から得られる引き出されたケーブルの長さと、前記測定開始スイッチから得られる性別を被測定者情報として演算を行う生体情報測定装置。
【請求項２】
演算手段は、引き出されたケーブルの長さが所定長さ以下の場合は被測定者がこどもとし、所定長さを超える場合は被測定者が大人として、被測定者情報に加えて演算を行う請求項１に記載の生体情報測定装置。
【請求項３】
被測定者の足に接触する足部電極と、前記足部電極を備え測定時に被測定者が乗り体重計を兼ねる人体載置部と、被測定者の手に接触する手部電極と、前記手部電極を備え測定時に被測定者が手で把持する把持部と、前記足部電極と前記手部電極の間のインピーダンスを測定するインピーダンス測定手段と、男／女／大人／こども毎に設けられた測定開始スイッチと、前記把持部と前記人体載置部を電気的に接続するケーブルと、前記ケーブルを巻き取るための巻き取り手段と、前記ケーブルの引き出し長さを測定するケーブル長さ測定手段と、被測定者情報から被測定者の生体に関する情報を演算する演算手段と、前記演算手段の演算結果を報知する報知手段を有し、前記演算手段は、前記足部電極と前記手部電極間のインピーダンスと、体重計から得られる体重値と、前記ケーブル長さ測定手段から得られる引き出されたケーブルの長さと、前記測定開始スイッチから得られる性別／大人／こどもを被測定者情報として演算を行う生体情報測定装置。
【請求項４】
ケーブル長さ測定手段は、引き出されるケーブルが所定の量巻き取られていることを検出した後に長さの測定を開始することを特徴とした請求項１から３のいずれか１項に記載の生体情報測定装置。
【請求項５】
把持部を収納する収納部を人体載置部に一体的に設けるとともに、前記把持部が前記収納部に収納されていることを検出する収納検出手段を有し、ケーブル長さ測定手段は前記収納検出手段により把持部が収納されていることを検出した後に長さの測定を開始することを特徴とした請求項１から３のいずれか１項に記載の生体情報測定装置。
【発明の詳細な説明】
【０００１】
【発明の属する技術分野】
本発明は身体インピーダンスに基づき、生体に関する情報を算出する生体情報測定装置に関するものである。
【０００２】
【従来の技術】
従来のこの種の生体情報測定装置は、被測定者の身体情報をあらかじめ入力して測定を行うものが一般的であった（例えば、特許文献１参照）。
【０００３】
図９に従来の生体測定装置の外観を示す。この装置は本体２２の両手で把持できる把持部４に手用の電極３を有し、ケーブル７で接続された、フット電極部２１に電極１を有し、被測定者は身長、体重、性別の被測定者情報をキー群５で入力した後、両手で装置本体２２を把持し、フット電極部２１に乗って決められた姿勢を取って測定すれば、把持部４及びフット電極部２１に備えられた電極１及び３が手のひら及び足の裏に接触することによって手足間のインピーダンスを測定し、インピーダンスと、入力された被測定者情報に基づいて演算により生体に関する情報を得ることができるようになっていた。
【０００４】
【特許文献１】
特開平７−５９７４４号公報
【０００５】
【発明が解決しようとする課題】
しかしながら、従来の生体情報測定装置では例えば特許文献１のものでは、測定の際に被測定者の情報である体重、身長、性別等を測定時に入力する必要があり使い勝手に課題があった。
【０００６】
現在では、前述の課題を軽減するために、被測定者の情報をメモリして測定開始時に呼び出し、測定時の入力操作の軽減を目的としたものもあるが、メモリの呼び出し操作や、成長期などで身長が変化が著しい等の際にはメモリ内容の更新が都度必要となり、操作性という面では依然課題が残っていた。
【０００７】
また被測定者の情報のひとつである身長については、一般家庭において身長計はあまり普及しておらず、正確に測ることは困難を伴う。したがって身長を記憶に頼って入力される場合が多く、測定結果も不正確になる可能性があった。
【０００８】
本発明は、上記従来の課題を解決するもので、測定時、ケーブル長さの自動測定により、被測定者の身体情報入力数を削減し操作性と測定精度を向上させた生体情報測定装置の提供を目的とする。
【０００９】
【課題を解決するための手段】
本発明は上記課題を解決するために、男／女毎に設けられた測定開始スイッチと、ケーブル長さ測定手段を設け、操作された測定開始スイッチから得られる性別情報と、測定ケーブル長さを被測定者情報に加えて生体に関する情報の演算を行うため、性別、身長を入力する必要がなくなり、記憶に頼った身長ではなく、その場で実測した体長情報を元に生体に関する情報の演算をするため、精度がよくなる。また、入力誤りによる誤演算も発生せず、正確な測定ができる。
【００１０】
また、生体に関する情報の一つである体脂肪率の測定等においては、演算上あまり寄与しない頭部の長さを省いて、測定に直接関連する手から足の長さを直接測定できるようになるので、より正確な測定が行える。
【００１１】
しかも、これらは、人体載置部に巻き取り手段により収納されるケーブルの引き出し長さにより測定されるので、一般の身長計のような大型の機構は必要がなく、装置自体は非常にコンパクトにでき、占有体積が少なく、収納、移動等も非常に容易となる。
【００１２】
さらに、身長や体重や性別等の入力が不要となるため、例えば被測定者の情報を入力する際に必要であった身長等の数値を可変させるスイッチや、入力後の登録スイッチが不要であり、外観的にもスッキリとしたものになる。
【００１３】
【発明の実施の形態】
請求項１に記載の発明は、被測定者の足に接触する足部電極と、前記足部電極を備え測定時に被測定者が乗り体重計を兼ねる人体載置部と、被測定者の手に接触する手部電極と、前記手部電極を備え測定時に被測定者が手で把持する把持部と、前記足部電極と前記手部電極の間のインピーダンスを測定するインピーダンス測定手段と、男／女毎に設けられた測定開始スイッチと、把持部と人体載置部を電気的に接続するケーブルと、ケーブルを巻き取るための巻き取り手段と、ケーブルの引き出し長さを測定するケーブル長さ測定手段と、被測定者情報から被測定者の生体に関する情報を演算する演算手段と、前記演算手段の演算結果を報知する報知手段を備えたことにより、演算手段は、前記足部電極と前記手部電極間のインピーダンスと、体重計から得られる体重値と、ケーブル長さ測定手段から得られる引き出されたケーブルの長さと、測定開始スイッチから得られる性別を被測定者情報として演算を行うため、測定に際し被測定者は、測定結果を得るための事前情報の入力が不要となり使い勝手が向上する。
【００１４】
また、事前情報の入力の必要がないため、入力のための入力手段、例えば身長の数値選択や、入力項目選択等のスイッチが不要となり、装置におけるスイッチの数が減り、外観的にもすっきりとしたものになる。
【００１５】
請求項２に記載の発明は、特に請求項１記載の演算手段が、引き出されたケーブルの長さが所定長さ以下の場合は、被測定者がこどもとし、所定長さを超える場合は被測定者が大人として、被測定者情報に加えて演算を行うため、被測定者の大人／こどもの判別も自動で行うため、様々な被測定者に対しても測定結果を得るための事前情報の入力が不要となり使い勝手が向上する。
【００１６】
請求項３に記載の発明は、特に請求項１記載の演算手段が、押された測定開始スイッチに応じて男／女／大人／こどもとして演算を行うため、測定に際し様々な被測定者に対しても測定結果を得るための事前情報の入力が不要となり使い勝手が向上する。
【００１７】
請求項４記載の発明は、特に請求項１から３記載のケーブル長さ測定手段が、引き出されるケーブルが所定の量巻き取られていることを検出した後に長さの測定を開始するために、必ず引き出し開始時の状態が一定となり、把持部が何かに引っ掛けられた状態から測定を行った場合等に発生しやすい、測定するケーブル長さが同一被験者で異なるということがなくなる。
【００１８】
請求項５記載の発明は、把持部が収納部に収納されていることを検出する収納検出手段を有し、ケーブル長さ測定手段は収納検出手段により把持部が収納されていることを検出した後に長さの測定を開始するために、必ず引き出し開始時の状態が一定となり、把持部が何かに引っ掛けられた状態から測定を行った場合等に発生しやすい、測定するケーブル長さが同一被験者で異なるということがなくなる。
【００１９】
【実施例】
以下本発明の実施例について図面を参照しながら説明する。
【００２０】
説明を具体的にするために、本実施例では、生体に関する情報を体脂肪率として説明しているが、生体インピーダンスと、被測定者の身体的特徴をあらわす被測定者情報から算出される生体に関する情報を測定算出するものであれば、例えば、筋肉の量や、筋肉の疲労度を測定するものであっても本発明の主旨を逸脱するものではない。
【００２１】
（実施例１）
図１は本発明の実施例１における生体情報測定装置の外観図、図２はそのブロック図、図３は測定時の説明図である。本実施例の生体情報測定装置は人体載置部２を装置本体外殻としており、ここに足部電極１ａ、１ｂ、１ｃ、１ｄが取り付けられている。本実施例において１ａと１ｂは電気的に短絡接続され、一対で構成される定電流電源部９ａの電極の一端であり、１ｃと１ｄは電気的に短絡接続され、一対で構成される人体抵抗電位検出部９ｂの電極の一端であり、前述の定電流電源部９ａと人体抵抗電位検出部９ｂでインピーダンス測定手段９を構成する。人体載置部２には、男女の性別毎に設けられた測定を開始する測定開始スイッチ５、報知手段として液晶表示器６が備えられている。人体載置部２と把持部４はケーブル７で接続されている。点線で記載した８は人体載置部２内部に設けたケーブル７を巻き取る巻き取り手段である。
【００２２】
手部電極３ａ、３ｂは導電性の金属材料で把持部４に巻き付け固定したものであり、３ａは前述の足部電極１ａ、１ｂと対をなす定電流電源部９ａの電極の一端であり、３ｂは前述の足部電極１ｃ、１ｄと対をなす人体抵抗電位検出部９ｂの電極の一端である。
【００２３】
被測定者１０は図３のように把持部４を握って引っ張ることにより、巻き取り手段８に巻き取られているケーブル７を所望の長さに引き出しながら若しくは、引き出した後に人体載置部２の上に素足で乗る。このとき手部電極３ａ、３ｂは被測定者１０の手のひらに、足部電極１ａ、１ｂ、１ｃ、１ｄは被測定者１０の足の裏に接触する。
【００２４】
図２に示すように足部電極１ａ、１ｂ、１ｃ、１ｄならびに手部電極３ａ、３ｂはインピーダンス測定手段９に接続されている。インピーダンス測定手段９は４端子法により、短絡された足部電極１ａ、１ｂと手部電極３ａ間に定電流電源部９ａにより定電流を流し、短絡された足部電極１ｃ、１ｄと手部電極３ｂ間で人体抵抗電位検出部９ｂにより電圧を測定することによって、インピーダンスを測定できるよう構成されている。本実施例では、５０ｋＨｚ、５００μＡの人体が感じることのない微弱な電流を使用している。測定したインピーダンスは演算手段としてのマイクロコンピュータ１１に入力される。マイクロコンピュータ１１には先に説明した測定開始スイッチ５と液晶表示器６とケーブル７の引き出し量を測定するケーブル長さ測定手段１２が接続されている。実施例中の足電極１ａ、１ｂと１ｃ、１ｄはそれぞれ短絡した状態で説明したが、１ａと１ｃのみで１ｂと１ｄがない構成、或いは１ａと１ｃが無くて１ｂと１ｄのみの構成でも、手−足間のインピーダンスの測定は可能であり、本発明の範囲を逸脱するものではない。加えて、インピーダンス測定手段９における定電流源部９ａの電極を１ａ、１ｂと３ａとし、人体抵抗電位検出部９ｂの電極を１ｃ、１ｄと３ｂとしたが、定電流源部９ａの電極を１ｃ、１ｄと３ｂとし人体抵抗電位検出部９ｂの電極を１ａ、１ｂと３ａとしても手−足間のインピーダンスの測定は可能であり、本発明の範囲を逸脱するものではない。（以降説明を簡略化するために足部電極１ａ、１ｂ、１ｃ、１ｄを総称して足部電極１とし、手部電極３ａ、３ｂを総称して手部電極３と称する）。
【００２５】
次に動作、作用について説明する。測定に先立ち、被測定者１０は、自身の性別にあった測定開始スイッチ５を選択操作して、機器を起動させた後、把持部４を握ってケーブル７を所望の長さに引き出し人体載置部２の上に素足で乗る。次に、被測定者１０は図３に示すように、本実施例における規定の測定姿勢とした腕を前方にかつ水平にのばした状態で把持部４を握り、人体載置部２に乗る。このとき、手部電極３は被測定者１０の手のひらに、足部電極４は被測定者１０の足の裏に接触する。手部電極３及び足部電極４はインピーダンス測定手段９に接続されており、被測定者１０の手足間のインピーダンスを測定する。インピーダンス測定手段９からのインピーダンスがマイクロコンピュータ１１に入力されると、マイクロコンピュータ１１はプログラムによりインピーダンスと、被測定者１０が機器を起動させた測定開始スイッチ５より得られる性別情報と、ケーブル長さ測定手段１２から得られる引き出されたケーブル７の長さ、人体載置部２から得られる体重値から体脂肪率を演算し、結果を液晶表示器６に出力する。体脂肪率を求める式は各種のものが知られているが、本実施例では、体密度より求めるＢｒｏｚｅｃの式（Ｂｒｏｚｅｃらの報告書Ｊ．Ｂｒｏｚｅｃ、Ｆ．Ｇｒａｎｄｅ、Ｊ．Ｔ．Ａｎｄｅｒｓｏｎ  ａｎｄ  Ａ．Ｋｅｙ；”Ａｎ  ＮＹ  Ａｃａｄ．ｓｃｉ  １１０（１９６３）１１３−４０）を応用している。この式はたとえば男性の場合
体密度＝１．１５５４−０．０８４１×体重×インピーダンス／（身長）２、体脂肪率（％）＝（４．９５／体密度−４．５０）×１００から求められる。
【００２６】
本実施例での測定では、引き出されたケーブルの長さを身長相当の被測定者情報としているが、本測定姿勢では、肩の高さがケーブルの引き出し量となるため、身長＝ケーブル長さ×ｋ（ｋは多数の人の肩の高さと身長の相関から得られた係数）とすることで、本測定姿勢によりケーブル長さが身長そのものを測定できなくともＢｒｏｚｅｃの式の応用は可能である。なお、この式は男性の場合の式であるが、女性の場合も各部の係数を変えることにより適用でき、測定開始スイッチを選択された時に得られる性別を元に式を切り換える。また、体脂肪率を求める式はこの他にも多くの式が報告されているが、インピーダンスから体脂肪率を求める式であれば、どのような式を用いて、本発明の趣旨を逸脱するものではない。
【００２７】
また、引き出されたケーブル７の長さが所定長さ以下の場合は、体脂肪率を求める式の係数を子どもに切替ることで、体脂肪率の演算の精度が向上する。
【００２８】
なお、本実施例においては、インピーダンスより求めた体脂肪率をそのまま表示しているが、体脂肪率から求められる、体脂肪重量、徐脂肪重量、徐脂肪率等で表示を行ってもよい。また、定電流は人体に感じない範囲であれば、その周波数、電流の大小は任意に変えることができる。また、本実施例においては右手−両足間でインピーダンスを測定しているが手足間のインピーダンスを測定できれば左手−両足間、右手−右足間、右手−左足間、左手−右足間、左手−左足間、その組み合わせは自由である。また、把持部は片手にもてる円筒形のものを使用しているが、その形状に制限はなく、握りやすく、手部電極が手に確実に接触できるものであれば、形状は任意である。
【００２９】
このことにより、体脂肪測定時の操作としては、測定の開始キーを操作するのみで、従来機器で必要であった、身長の入力、性別の入力の手間が省け、簡単に測定できるだけでなく、体脂肪測定時に個別の被測定者データ（性別、身長相当長さ、体重）が毎回自動で入力できるため、従来機器に必要であった使用者個人別の性別、身長、をメモリする機能自体が必要なくなり、繰り返し測定する場合でも操作が簡単になる。
【００３０】
（実施例２）
図４は本発明の実施例２における生体情報測定装置の外観図である。実施例１と異なる点は、測定開始スイッチが年齢に相当する大人／こども別と性別毎の４つの測定開始スイッチ設けた点で、大人男性、大人女性、こども男性、こども女性とそれぞれ配設し、被測定者１０が機器を起動する際、自分の性別、大人／こども別に応じたどれかのキーを操作して測定を開始し、マイクロコンピュータは、選択操作されたキーから測定者の性別、大人／こども別の情報を得、体脂肪を得る演算式を切替、体脂肪率を演算する。
【００３１】
生体に関する代表的な情報の一つである体脂肪率の測定に関しては実施例１と同様であるので、説明は割愛する。
【００３２】
このことにより、体脂肪測定時の操作としては、測定の開始キーを操作するのみで、従来機器で必要であった、身長の入力、年齢（大人／こども）、性別の入力の手間が省け、簡単に測定できるだけでなく、体脂肪測定時に個別の被測定者データ（性別、身長相当長さ、体重）が毎回自動で入力できるため、従来機器に必要であった使用者個人別の性別、身長、年齢（大人／こども）をメモリする機能自体が必要なくなり、繰り返し測定する場合でも操作が簡単になる。
【００３３】
（実施例３）
図５は本発明の実施例３における生体情報測定装置に配設されるケーブル長さ測定手段１２の説明図である。本実施例では、ケーブル長さ測定手段１２として、ケーブル７を巻き取るボビン１４の中心軸にロータリーエンコーダ１５を取りつけ、ケーブル７が引き出されることで回転するボビン１４の回転数をロータリーエンコーダ１５から得られるパルス数をカウントし、引き出し量を算出する。
【００３４】
またケーブル７が引き出し時に絞られる方向に配設されたゼンマイバネ１３がボビン１４に固定されていることで、測定終了時には引き出されたケーブル７は絞られたゼンマイバネ１３により自動的にボビン１４に巻き取られる。ケーブル７の巻き終わり部分に何箇所かのマーキングを施し、そのマーキング箇所近辺に発光素子と受光素子をセンサとして用いてマーキングの検出を行うことで、ケーブル７がボビン１３に完全に巻き取られた状態かどうかを判断することができる。具体的には発光素子１５ａの光はケーブル７のマーキングに応じて反射する光量が変化し、その変化する光量を受光素子１５ｂで受け取り、光量に応じた電気信号に変換する。パルス係数手段１５は、受光素子１５ｂが出力する電気信号の強弱をカウントすることで、測定開始後、ケーブル長さ測定手段１２が動作開始時にパルス係数手段１５によりパルスが検出できれば完全に巻き取られた状態からケーブル７が引き出されたことが判別でき、中途半端にケーブル７が引き出された状態から測定が開始され、あやまったケーブル７の引き出し量を体長として体脂肪率を算出してしまうということがなくなり、常に正しい引き出し量で体脂肪率の算出が可能となる。
【００３５】
図６は本実施例と実施例２を組み合わせた構成における一連の動作を示したフローチャートである。
【００３６】
説明を簡単に行うために、本発明の主旨以外である体重およびインピーダンスの測定シーケンスについては説明を割愛するとともに、各シーケンスにおける細かなエラー処理についても説明を割愛する。
【００３７】
まず、Ｓ１で測定開始スイッチの検出を行い、測定開始時は、Ｓ２においてケーブル７が完全に巻き取られているかの検出を受光素子１５ｂから得られるパルスの有無で行う。ケーブル７が引き出されるとロータリーエンコーダー（以後エンコーダーとする）１２ａからのパルスも得られるため、Ｓ２でパルスカウントがないにも関わらず、Ｓ１４でエンコーダーのパルスが得られた場合は、ケーブル７が巻き取り途中から引き出されたとしてＳ１５でエラー処理を行い、Ｓ１６でエラー内容を表示し、誤った体長をもとに体脂肪率を演算することを防ぐ。
【００３８】
ケーブル７の引き出し開始時に受光素子１５ｂからパルスが得られた場合は、Ｓ３、Ｓ４でパルス数が安定するまで計測を継続し、Ｓ５にてエンコーダーのパルス数から被験者の体長を算出する。次にＳ６からＳ９において、人体載置部に設けた４つの測定開始スイッチのうちどれが押されたかを判別し、押されたスイッチに応じて、Ｓ１０からＳ１３のどれかの処理に移行し、測定された体重値（フローに図示せず）とインピーダンス（フローに図示せず）と、Ｓ５で得られた体長から体脂肪率を演算し、Ｓ１６で演算結果を表示するものである。
【００３９】
このことにより、被測定者の身体情報の一つである身長に非常に相関の高い手から足までの距離がケーブルの長さで置き換えらるため、前述のＢｒｏｚｅｃの式を更に応用し、被測定者の体脂肪率の演算時に、身長の代わりに引き出されるケーブル７の長さを使用するような演算式にすることでも、身長を別途入力する必要がなくなり入力の手間を大幅に改善することができるとともに、記憶に頼った身長ではなく、インピーダンス測定時に同時に実測した体長情報を元に体脂肪率を演算するため、精度がよくなる。また、入力誤りによる誤演算も発生せず、正確な測定ができる。
【００４０】
（実施例４）
図７は実施例４における把持部の収納状態検出手段の構成図であり、斜視図による外観と把持部４が収納部１６に収納されスイッチ１７ａを押してある状態を斜視図のＢ方向から見た図を示す。図７において、１６は把持部４を収納する人体載置部２に一体的に設けられた収納部であり、１７は把持部４が収納部１６に収納されていることを検出する収納検出手段である。
【００４１】
図では把持部４が収納部１６に収納されたとき押される位置に配設したスイッチ１７ａで収納検出手段を構成している。
【００４２】
本実施例では、把持部４が収納部１６に確実に収納されたときスイッチ１７ａが把持部４に押されてオンになり、収納部より取り出されたときにスイッチ１７ａがオフとなることで、把持部４の収納状態を判別することが可能となる。これにより、測定開始時に把持部４の状態を判別することで、所定状態からケーブル７が引き出され、正しい体長を測定できるかどうかを判断することが可能となる。ケーブル７は、実施例３で説明した、ゼンマイバネ１３とボビン１４からなる巻き取り手段構成とすることで、把持部４が収納部１６にある場合は、自動で巻き取られているため、把持部４の収納部１６への収納状態を確認後、引出し長さをカウントする。
【００４３】
ここでは、把持部４の収納状態を機械式のスイッチで説明したが、把持部４が収納部１６に収納されていることを検出する手段であれば、例えば把持部４に磁石を設けと収納部１６に設けた磁気によりオンオフするリードスイッチでも収納状態の検出は可能で、収納状態の検出を機械式スイッチに限定するものではない。
【００４４】
図８は本実施例と実施例１を組み合わせた構成における一連の動作を示したフローチャートである。
【００４５】
ここでも説明を簡単に行うために、本発明の主旨以外である体重およびインピーダンスの測定シーケンスについては説明を割愛するとともに、各シーケンスにおける細かなエラー処理についても説明を割愛する。
【００４６】
まず、Ｓ２１で測定開始スイッチの検出を行い、測定開始時は、Ｓ２２においてケーブル７が完全に巻き取られているかどうかの検出を収納部１６の収納検出手段１７であるスイッチ１７ａがＯＮ状態であることを判断する。ケーブル７が引き出されるとロータリーエンコーダー（以後エンコーダーとする）１２ａからのパルスが得られるため、Ｓ２２でスイッチ１７ａのＯＮ信号がないにも関わらず、Ｓ３４でエンコーダーのパルスが得られた場合は、把持部４が正しく収納されていない状態つまりケーブル７が巻き取り途中から引き出されたとしてＳ３５でエラー処理を行い、Ｓ１６でエラー内容を表示し、誤った体長をもとに体脂肪率を演算することを防ぐ。スイッチ１７ａのＯＮ状態を確認後は、Ｓ２３、Ｓ２４でパルス数が安定するまで計測を継続し、Ｓ２５にてエンコーダーのパルス数から被験者の体長を算出する。次にＳ２６とＳ３０において、人体載置部に設けた２つの測定開始スイッチのうちどれが押されたかを判別し、押されたスイッチに応じて、Ｓ２７とＳ３１でＳ２５から得られたケーブル７の引き出し量が１００ｃｍ以下かどうかの判断を行い、１００ｃｍ以下の場合は、こども、１００ｃｍを超える場合は大人としてＳ２８、Ｓ２９、Ｓ３２、Ｓ３３のどれかの処理に移行し、測定された体重値（フローに図示せず）とインピーダンス（フローに図示せず）と、Ｓ２５で得られた体長から体脂肪率を演算し、Ｓ３６で演算結果を表示するものである。
【００４７】
ここでは、大人とこどもの区別をする所定長さ（ケーブル引出し長さ）を仮に１００ｃｍとして説明しているが、プログラム中の演算式によりその数値は自由に設定可能である。
【００４８】
このことにより、中途半端にケーブル７が引き出された状態から測定が開始され、あやまったケーブル７の引き出し量を体長として体脂肪率を算出してしまうということがなくなり、常に正しい引き出し量で体脂肪率の算出が可能となる。
【００４９】
【発明の効果】
以上のように、本発明によれば、入力に一番手間のかかる身長情報を自動で測定するとともに、測定時に性別等の入力が測定開始時に選択されてしまう構成のため、操作が非常に簡単になり、従来個人を特定し操作を少しでも簡単にするためのメモリ機能さえも不要となり、日々繰り返し測定する行為においても操作性を向上させることができる。
【図面の簡単な説明】
【図１】本発明の実施例１における生体情報測定装置の外観図
【図２】本発明の実施例１における生体情報測定装置のブロック図
【図３】本発明の実施例１における生体情報測定装置の測定時の説明図
【図４】本発明の実施例２における生体情報測定装置の外観図
【図５】本発明の実施例３における生体情報測定装置に配設されるケーブル長さ測定手段の説明図
【図６】本発明の実施例２と実施例３を組み合わせた構成における一連の動作を示したフローチャート
【図７】（ａ）本発明の実施例４における生体情報測定装置の斜視図
（ｂ）本発明の実施例４における矢印Ｂ方向から見た部分図
【図８】本発明実施例１と実施例４を組み合わせた構成における一連の動作を示したフローチャート
【図９】従来の生体測定装置の外観図
【符号の説明】
１、１ａ、１ｂ、１ｃ、１ｄ  足部電極
２  人体載置部
３、３ａ、３ｂ  手部電極
４  把持部
５  測定開始スイッチ
６  液晶表示器（報知手段）
７  ケーブル
８  巻き取り手段
９  インピーダンス測定手段
９ａ  定電流電源部
９ｂ  人体抵抗電位検出部
１０  被測定者
１１  マイクロコンピュータ（演算手段）
１２  ケーブル長さ測定手段
１２ａ  ロータリーエンコーダ
１３  ゼンマイバネ
１４  ボビン
１５  パルス係数手段
１５ａ  発光素子
１５ｂ  受光素子
１６  収納部
１７  収納検出手段
１７ａ  スイッチ
２２  装置本体
２１  フット電極部
２２  本体
２３  キー群
【図１】
2004255015.tif 000003
【図２】
2004255015.tif 000004
【図３】
2004255015.tif 000005
【図４】
2004255015.tif 000006
【図５】
2004255015.tif 000007
【図６】
2004255015.tif 000008
【図７】
2004255015.tif 000009
【図８】
2004255015.tif 000010
【図９】
2004255015.tif 000011